(57)【要約】【課題】より還元性の高い雰囲気で酸化鉄スケールを除去できる洗浄装置及び洗浄方法を提供する。【解決手段】白金族系触媒が容体２０に充填されてなる反応部２２と、反応部２２にキレート剤及び還元剤を含有する洗浄液を供給する第一供給部と、反応部２２を通流した前記洗浄液を洗浄対象４０に接触させる第二供給部と、を備える、洗浄装置１。洗浄対象４０に接触させた前記洗浄液を回収し、前記第一供給部に供給する回収部をさらに備えることが好ましい。【選択図】図１
2019099869.tif 000002
【特許請求の範囲】
【請求項１】
白金族系触媒が容体に充填されてなる反応部と、
前記反応部にキレート剤及び還元剤を含有する洗浄液を供給する第一供給部と、
前記反応部を通流した前記洗浄液を洗浄対象に接触させる第二供給部と、
を備える、洗浄装置。
【請求項２】
前記洗浄対象に接触させた前記洗浄液を回収し、前記第一供給部に供給する回収部をさらに備える、請求項１に記載の洗浄装置。
【請求項３】
前記反応部にリン酸含有水溶液を接触させる触媒改質部をさらに備える、請求項１または請求項２に記載の洗浄装置。
【請求項４】
白金族系触媒が容体に充填されてなる反応部に、キレート剤及び還元剤を含有する洗浄液を接触させる還元工程と、
前記反応部に接触させた前記洗浄液を洗浄対象に接触させる洗浄工程と、
を有する洗浄方法。
【請求項５】
前記洗浄対象に接触させた前記洗浄液を回収する回収工程をさらに有する、請求項４に記載の洗浄方法。
【請求項６】
前記反応部にリン酸含有水溶液を接触させる触媒改質工程をさらに有する、請求項４または請求項５に記載の洗浄方法。
【発明の詳細な説明】
【技術分野】
【０００１】
本発明は、洗浄装置及び洗浄方法に関する。
【背景技術】
【０００２】
原子力プラントやボイラープラントでは、原子炉の一次系や二次系、火力発電ボイラー等に、運転を通してマグネタイト等の酸化鉄スケールが生成し、付着する。酸化鉄スケールを除去するため、定期点検作業時には、化学洗浄が行われる。従来の化学洗浄では、酸性溶液を６０〜１５０℃の高温で使用していたため、火気の取扱いが制限され、設備が大規模化する問題があった。
【０００３】
こうした問題に対し、例えば、特許文献１には、第一鉄イオンと酸と還元剤とを含む洗浄液を酸化鉄スケールと接触させる酸化鉄スケールの溶解除去方法が紹介されている。特許文献１の発明は、酸化鉄の溶解速度が高く、低温でも速やかに酸化鉄スケールを溶解除去できている。
【先行技術文献】
【特許文献】
【０００４】
【特許文献１】特開平７−９７６９４号公報
【発明の概要】
【発明が解決しようとする課題】
【０００５】
しかしながら、特許文献１の発明では、母材の腐食が進行し、それに伴う水素の発生が認められる。母材の腐食は、酸化鉄溶解に伴って発生する第二鉄イオンが酸化剤として作用するためと考えられる。水素の発生は、火気の取扱いの制限、設備の大規模化を招く。
第二鉄イオンの存在は、このような問題を生じるため、第二鉄イオンを第一鉄イオンに還元することが求められる。
本発明は、上記課題を解決するためになされたものであって、より還元性の高い雰囲気で酸化鉄スケールを除去できる洗浄装置及び洗浄方法を提供することを目的とする。
【課題を解決するための手段】
【０００６】
本発明は、上記課題を解決するため、以下の手段を採用する。
本発明の一態様に係る洗浄装置は、白金族系触媒が容体に充填されてなる反応部と、前記反応部にキレート剤及び還元剤を含有する洗浄液を供給する第一供給部と、前記反応部を通流した前記洗浄液を洗浄対象に接触させる第二供給部と、を備える。
【０００７】
このような構成によれば、より還元性の高い雰囲気で洗浄対象を洗浄できる。
【０００８】
また、本発明の他の態様に係る洗浄装置は、前記洗浄対象に接触させた前記洗浄液を回収し、前記第一供給部に供給する回収部をさらに備える。
【０００９】
このような構成によれば、より効率的に酸化鉄スケールを除去できる。
【００１０】
また、本発明の他の態様に係る洗浄装置は、前記反応部にリン酸含有水溶液を接触させる触媒改質部をさらに備える。
【００１１】
このような構成によれば、白金族系触媒の改質により、より還元性の高い雰囲気の保持が図られる。
【００１２】
また、本発明の一態様に係る洗浄方法は、白金族系触媒が容体に充填されてなる反応部に、キレート剤及び還元剤を含有する洗浄液を接触させる還元工程と、前記反応部に接触させた前記洗浄液を洗浄対象に接触させる洗浄工程と、を有する。
【００１３】
このような構成によれば、より還元性の高い雰囲気で洗浄対象を洗浄できる。
【００１４】
また、本発明の他の態様に係る洗浄方法は、前記洗浄対象に接触させた前記洗浄液を回収する回収工程をさらに有する。
【００１５】
このような構成によれば、より効率的に酸化鉄スケールを除去できる。
【００１６】
また、本発明の他の態様に係る洗浄方法は、前記反応部にリン酸含有水溶液を接触させる触媒改質工程をさらに有する。
【００１７】
このような構成によれば、白金族系触媒の改質により、より還元性の高い雰囲気の保持が図られる。
【発明の効果】
【００１８】
本発明の洗浄装置及び洗浄方法によれば、より還元性の高い雰囲気で酸化鉄スケールを除去できる。
【図面の簡単な説明】
【００１９】
【図１】本発明の第一実施形態に係る洗浄装置の模式図である。
【図２】本発明の第二実施形態に係る洗浄装置の模式図である。
【発明を実施するための形態】
【００２０】
（第一実施形態）
以下、本発明の第一実施形態について、図１を参照して説明する。
図１に示すように、本発明の第一実施形態に係る洗浄装置１は、貯留槽１０と、容体２０と、反応部２２と、第一供給管３０と、第二供給管３２と、回収管３４と、洗浄対象４０と、ポンプ５０と、水素濃度計６０とを備える。
【００２１】
貯留槽１０は、第一供給管３０で、容体２０と接続されている。容体２０は、第二供給管３２で、洗浄対象４０と接続されている。洗浄対象４０は、回収管３４で、貯留槽１０と接続されている。
本実施形態では、洗浄装置１は、貯留槽１０と、容体２０と、洗浄対象４０との間を、洗浄液が循環できるように構成されている。
【００２２】
ポンプ５０は、第一供給管３０の途中に設けられている。水素濃度計６０は、回収管３４に接続されている。
本実施形態において、第一供給部は、第一供給管３０と、ポンプ５０とで構成されている。
本実施形態において、第二供給部は、第二供給管３２で構成されている。
本実施形態において、回収部は、回収管３４と、水素濃度計６０と、貯留槽１０とで構成されている。
【００２３】
貯留槽１０は、キレート剤及び還元剤を含有する洗浄液を内部に貯留する。
貯留槽１０としては、例えば、ステンレス等の金属製の水槽又は攪拌槽等が挙げられる。
【００２４】
容体２０は、白金族系触媒が充填されてなる反応部２２を内部に備える。反応部２２は、固定床、流動床のいずれでもよい。
容体２０としては、例えば、ステンレス等の金属製の反応塔又は攪拌槽等が挙げられる。
第一供給管３０は、容体２０に、貯留槽１０で貯留された洗浄液を供給する配管である。第一供給管３０としては、ステンレス等の金属製の配管等が挙げられる。
第二供給管３２は、洗浄対象４０に、反応部２２で白金族系触媒と接触した洗浄液を供給する配管である。第二供給管３２としては、ステンレス等の金属製の配管等が挙げられる。
ポンプ５０としては、第一供給管３０又は第二供給管３２内の洗浄液を洗浄対象４０へと圧送できるものであればよい。
【００２５】
白金族系触媒は、白金族金属、白金族金属化合物を含む触媒であり、白金族金属以外の金属を含有していてもよい。白金族金属は、例えば、白金、パラジウム、ロジウム、ルテニウム、イリジウム等が挙げられる。白金族金属化合物は、白金族金属のハロゲン化物、白金族金属のハロゲン化物とオレフィンとの錯体、白金族金属のハロゲン化物とアルコールとの錯体、白金族金属のハロゲン化物とアルデヒドとの錯体、白金族金属のハロゲン化物とケトンとの錯体、白金族金属のハロゲン化物とビニルシロキサンとの錯体等が挙げられる。
第二鉄イオンとの反応性の観点から、白金族金属としては、白金、パラジウムが好ましい。白金族金属化合物としては、塩化白金酸、塩化白金酸とシクロペンタジエンとの錯体、塩化白金酸とビニルシロキサンとの錯体が好ましい。
【００２６】
洗浄対象４０は、原子力プラントやボイラープラントを構成する配管、容器、各種機器等の部品であって、炉水が接触する部品である。洗浄対象４０は、母材として鉄を含有する。洗浄対象４０は、炉水と接触することにより、鉄が酸化され、Ｆｅ２Ｏ３（ヘマタイト、マグネタイト）やＦｅ３Ｏ４（磁鉄鉱）等の酸化鉄スケールが付着した部品である。
【００２７】
回収管３４は、貯留槽１０に、洗浄対象４０に接触させた洗浄液を供給する配管である。回収管３４としては、ステンレス等の金属製の配管等が挙げられる。
水素濃度計６０は、回収管３４内を流通する洗浄液に溶存する水素濃度を測定する計器である。水素濃度計６０としては、公知の水素濃度計を例示できる。
【００２８】
次に、本実施形態の洗浄方法について説明する。本実施形態の洗浄方法は、白金族系触媒が容体に充填されてなる反応部２２に、キレート剤及び還元剤を含有する洗浄液を接触させる還元工程と、前記反応部に接触させた前記洗浄液を洗浄対象に接触させる洗浄工程と、を有する。
還元工程は、例えば、以下の手順で行われる。
キレート剤及び還元剤を溶媒に溶解して洗浄液とする。洗浄液を貯留槽１０に貯留する。次いで、ポンプ５０を始動する。ポンプ５０を始動すると、貯留槽１０内の洗浄液は、第一供給管３０を経由し、容体２０内に流入する。
容体２０内に流入した洗浄液は、白金族系触媒に接触しつつ反応部２２を通流する。
この間、洗浄液が白金族系触媒により還元され、十分な還元性雰囲気が保持される（還元工程）。
【００２９】
洗浄液は、キレート剤及び還元剤を含有する。
キレート剤は、例えば、アミノトリス（メチレンホスホン酸）、１−ヒドロキシエタン−１，１−ジホスホン酸、エチレンジアミンテトラキス（メチレンホスホン酸）、ヘキサメチレンジアミンテトラキス（メチレンホスホン酸）、ジエチレンテトラミンペンタキス（メチレンホスホン酸）、又は２−ホスホノブタン−１，２，４−トリカルボン酸等の各種ホスホン酸類及びその塩等、ニトリロ三酢酸、エチレンジアミン四酢酸、ジエチレントリアミン五酢酸、又はトリエチレンテトラミン六酢酸等の各種アミノカルボン酸類及びその塩等が挙げられる。
これらのキレート剤は、１種単独で用いてもよく、２種以上を併用してもよい。
【００３０】
洗浄液の総質量に対するキレート剤の含有量は、１０００〜４０００００ｐｐｍが好ましく、１００００〜４０００００ｐｐｍがより好ましい。上記下限値以上であると、洗浄工程において第一鉄イオンを取り込みやすい。上記上限値以下であると、十分な還元性雰囲気が保持されやすい。
【００３１】
還元剤は、例えば、ヒドラジン、カルボヒドラジド、亜硫酸ナトリウム、ヒドロキシルアミン、アデミン酸、アスコルビン酸、亜ジチオン酸ナトリウム、二酸化チオ尿素等が挙げられる。洗浄液のｐＨを変化させずに第二鉄イオンを還元できる観点から、還元剤としては、ヒドラジンが好ましい。
これらの還元剤は、１種単独で用いてもよく、２種以上を併用してもよい。
【００３２】
洗浄液の総質量に対する還元剤の含有量は、１〜２５００００ｐｐｍが好ましく、１００〜１０００００ｐｐｍがより好ましい。上記下限値以上であると、十分な還元性雰囲気が保持されやすい。上記上限値以下であると、環境に対する負荷を軽減しやすい。
【００３３】
洗浄液は、キレート剤及び還元剤以外の成分を含有してもよい。母材の腐食を抑制する観点から、洗浄液は、防錆剤、中性防錆剤を含有することが好ましく、中性防錆剤を含有することがより好ましい。
【００３４】
洗浄液の溶媒としては、例えば、水、エタノール、アセトン、及びこれらの混合物等が挙げられる。
【００３５】
還元工程においては、洗浄液が白金族系触媒と接触するときの温度は、１０〜６０℃が好ましく、２０〜３０℃がより好ましい。洗浄液が白金族系触媒と接触するときの温度が上記数値範囲内であると、十分な還元性雰囲気が保持されやすい。
【００３６】
反応部２２における洗浄液の通水空間速度（ＳＶ）は、１０〜１０００Ｌ／ｈｒ／Ｌ−触媒が好ましく、１０〜１００Ｌ／ｈｒ／Ｌ−触媒がより好ましい。通水空間速度が上記下限値以上であると、洗浄液と白金族系触媒との接触効率が高まり、還元反応がより促進されやすい。通水空間速度が上記上限値以下であると、反応部２２における差圧を抑制でき、白金族系触媒や容体２０への負荷を軽減しやすい。なお、通水空間速度（ＳＶ）は、触媒の単位体積（Ｌ−触媒）当たりにおける単位時間（ｈｒ）当たりの流量（Ｌ）である。
【００３７】
還元工程において、反応部２２に供給される洗浄液の量は、通水倍量（ＢＶ）で１０〜１０００倍が好ましく、５００〜１０００倍がより好ましい。通水倍量が上記下限値以上であると、洗浄液と白金族系触媒との接触効率が高まり、還元反応がより促進されやすい。通水倍量が上記上限値以下であると、反応部２２における差圧を抑制でき、白金族系触媒や容体２０への負荷を軽減しやすい。なお、通水倍量（ＢＶ）は、白金族系触媒の体積の何倍を通水したかを示す量である。
【００３８】
洗浄液の通水空間速度、通水倍量は、ポンプ５０の圧力、第一供給管３０の内径等により調整できる。
【００３９】
反応部２２に接触させた洗浄液は、第二供給管３２を通流し、洗浄対象４０に流入する。
洗浄対象４０に流入した洗浄液は、洗浄対象４０に付着した酸化鉄スケールと接触する。洗浄液は、酸化鉄スケールの溶解反応を促進する。これは、洗浄液の還元性雰囲気が高く、酸化鉄スケールが第一鉄イオンの形態で洗浄液中に溶出するためであると考えられる。このため、洗浄対象４０に付着した酸化鉄スケールが速やかに除去される（洗浄工程）。
一方、酸化鉄スケールの溶解反応により生成した第一鉄イオンは、洗浄液中のキレート剤の配位により洗浄対象４０から除去され、洗浄液に取り込まれる。
【００４０】
洗浄工程においては、洗浄液が洗浄対象４０と接触するときの温度は、１０〜６０℃が好ましく、２０〜３０℃がより好ましい。洗浄液が洗浄対象４０と接触するときの温度が上記下限値以上であると、洗浄対象４０に付着した酸化鉄スケールが除去されやすい。洗浄液が洗浄対象４０と接触するときの温度が上記上限値以下であると、洗浄対象４０での水素の発生を抑制しやすい。
【００４１】
洗浄工程においては、洗浄液が洗浄対象４０と接触する時間（洗浄時間）は、０．０１〜５分が好ましく、０．０２〜１分がより好ましい。洗浄時間が上記下限値以上であると、洗浄対象４０に付着した酸化鉄スケールが除去されやすい。洗浄時間が上記上限値以下であると、洗浄作業の効率を向上しやすい。
【００４２】
洗浄工程において、例えば、洗浄対象４０が水槽の場合、洗浄対象４０に供給される洗浄液の量は、水槽の内容量の１０〜１０００体積倍が好ましく、５００〜１０００体積倍がより好ましい。洗浄液の量が上記下限値以上であると、洗浄対象４０に付着した酸化鉄スケールが除去されやすい。洗浄液の量が上記上限値以下であると、洗浄装置を小型化しやすい。
【００４３】
次に、洗浄対象４０に接触した洗浄液は、回収管３４を経由して貯留槽１０内に流入し、回収される（回収工程）。
回収管３４を通流する洗浄液には、母材の腐食により生成した水素が含まれる。洗浄液に溶存する水素濃度は、回収管３４に接続された水素濃度計６０により測定できる。洗浄液に溶存する水素濃度は、１０ｐｐｍ（体積基準）以下が好ましく、０．１ｐｐｍ以下がより好ましい。
貯留槽１０内に流入した洗浄液は、第一供給管３０を経由し、容体２０に流入し、再び還元工程に供される。
【００４４】
本実施形態の洗浄方法では、洗浄液が、白金族系触媒と接触するため、洗浄液が白金族系触媒により還元され、十分な還元性雰囲気が保持される。
本実施形態の洗浄方法では、還元性雰囲気が保持されるため、酸化鉄スケールの除去速度を速めることができ、洗浄に要する時間を短縮できる。このため、洗浄作業の効率を向上できる。
本実施形態の洗浄方法では、キレート剤及び還元剤を含有する洗浄液を用いているため、液性が中性でも酸化鉄スケールを除去できる。このため、酸性雰囲気で発生する水素ガスの濃度を低減できる。
本実施形態の洗浄方法では、回収工程を有するため、洗浄液を循環させることができる。洗浄液が洗浄装置内を循環するため、洗浄対象４０に付着した酸化鉄スケールをより多く除去することができる。この結果、洗浄対象４０の洗浄効率を高められる。
本実施形態の洗浄方法では、洗浄液が洗浄装置内を循環するため、洗浄液に第二鉄イオンが含まれても、白金族系触媒によって、速やかに第一鉄イオンへと還元できる。
【００４５】
本実施形態の洗浄方法では、洗浄液を循環させているが、回収工程で回収された洗浄液を貯留槽１０に供給せずに、別の配管を通して廃棄してもよい。
貯留槽１０に別の配管を設けて、新たな洗浄液を供給してもよい。
洗浄対象４０に洗浄液を接触させる際は、循環接触に限られず、洗浄液を洗浄対象４０内に貯留し、浸漬させてもよい。
【００４６】
回収管３４には、水素濃度計６０に代えて、あるいは、水素濃度計６０と別に酸素濃度計を設けてもよい。酸素濃度計を設けることにより、洗浄液に溶存する酸素濃度を測定できる。測定された酸素濃度により、容体２０に収容された白金族系触媒の触媒活性の低下の度合いを確認できる。例えば、洗浄液に溶存する酸素濃度が１ｐｐｍ（体積基準）以上の場合、白金族系触媒の触媒活性が低下したと判断できる。触媒活性が低下した白金族系触媒は、新しいものと交換できる。
【００４７】
（第二実施形態）
以下、本発明の第二実施形態について、図２を参照して説明する。
この実施形態において、前述した実施形態で用いた部材と共通の部材には、同一の符号を付して、その説明を省略する。
図２に示すように、本発明の第二実施形態に係る洗浄装置２は、洗浄装置１に触媒改質部７０を加えたものである。触媒改質部７０は、改質液貯留槽８０と、ポンプ５２と、給液管９０と、容体２０と、排液管９２とを備える。
【００４８】
改質液貯留槽８０は、給液管９０で、容体２０と接続されている。ポンプ５２は、給液管９０の途中に設けられている。容体２０は、排液管９２で、改質液貯留槽８０と接続されている。
【００４９】
改質液貯留槽８０は、改質液を内部に貯留する。
改質液貯留槽８０としては、例えば、ステンレス等の金属製の水槽又は攪拌槽等が挙げられる。
ポンプ５２としては、給液管９０内の改質液を容体２０へと圧送できるものであればよい。
給液管９０は、容体２０に、改質液貯留槽８０で貯留された改質液を供給する配管である。給液管９０としては、ステンレス等の金属製の配管等が挙げられる。
排液管９２は、改質液貯留槽８０に、反応部２２で白金族系触媒と接触した改質液を供給する配管である。排液管９２としては、ステンレス等の金属製の配管等が挙げられる。
【００５０】
次に、本実施形態の洗浄方法について説明する。本発明の一態様に係る洗浄方法は、反応部２２にリン酸含有水溶液を接触させる触媒改質工程を有する。
触媒改質工程は、例えば、以下の手順で行われる。
リン酸、リン酸水素塩、リン酸二水素塩及びリン酸塩からなる群より選択される１種以上を溶媒に溶解してリン酸含有水溶液（改質液）とする。改質液を改質液貯留槽８０に貯留する。
まず、容体２０への洗浄液の供給を停止する。次いで、ポンプ５２を始動する。ポンプ５２を始動すると、改質液貯留槽８０内の改質液は、給液管９０を経由し、容体２０内に流入する。
容体２０内に流入した改質液は、白金族系触媒に接触しつつ反応部２２を通流する。
この間、白金族系触媒に吸着していた硫化水素イオンや塩化物イオン等の被毒物質が脱着し、白金族系触媒が改質される。なお、触媒改質工程は、白金族系触媒が被毒される前に設けられてもよく、白金族系触媒が被毒された後に設けられてもよい。
反応部内を通流した改質液は、排液管９２を通流し、改質液貯留槽８０に流入する。
【００５１】
白金族系触媒が被毒される前に触媒改質工程を設けた場合、白金族系触媒は、被毒物質による被毒を抑制できる。このため、白金族系触媒の寿命が向上し、洗浄に掛かるコストを低減することが可能となる。
白金族系触媒が被毒された後に触媒改質工程を設けた場合、白金族系触媒は、被毒物質により低下した触媒活性を高められる（触媒の再生）。このため、白金族系触媒を繰り返し利用することが可能となる。
【００５２】
一般に、白金族系触媒は、工業用水や廃液中に含まれる硫化水素イオンや塩化物イオン等の被毒物質により被毒され、性能が低下することが知られている。被毒により性能が低下した場合、白金族系触媒を新しいものに交換する必要がある。白金族系触媒は一般に高コストであり、新しいものに交換すると経済的な負担が大きい。経済的な負担の低減には、白金族系触媒を新しいものに交換せず、触媒被毒抑制による触媒寿命の向上や被毒された触媒の再生、即ち触媒の改質が好ましい。
【００５３】
リン酸、リン酸水素塩、リン酸二水素塩及びリン酸塩からなる群より選択される１種以上を水に溶解すると、リン酸含有水溶液となり、イオン（以下、リン酸系イオンともいう）が生成する。
リン酸系イオンは、硫化水素イオンや塩化物イオンに優先して白金族系触媒に配位し、吸着することができる。その結果、硫化水素イオンや塩化物イオンによる白金族系触媒の触媒活性の低下を抑制できる。
また、硫化水素イオンや塩化物イオンが配位し、吸着した白金族系触媒をリン酸系イオンと接触させると、硫化水素イオンや塩化物イオンとリン酸系イオンとが置換する。その結果、白金族系触媒の低下した触媒活性が回復する。
リン酸系イオンは、硫化水素イオンや塩化物イオンよりも白金族系触媒との安定した配位結合を形成する。このため、リン酸含有水溶液が、白金族系触媒を改質する改質液として機能すると考えられる。
【００５４】
改質液は、リン酸系イオンを含有する。リン酸系イオンは一般に中性から弱塩基性であるため、改質液は中性から弱塩基性の水溶液である。白金族系触媒に接触させる水溶液が酸性の場合、配管や装置を腐食するおそれがある。このため、改質液は、中性から弱塩基性の水溶液であることが好ましい。加えて、リン酸系イオンは、緩衝作用を有するため、改質液中のｐＨを調整する必要がなくなる効果が得られる。
【００５５】
改質液中のリン酸系イオンの濃度は、０．１〜１０ｍｇ／Ｌが好ましく、０．５〜７．５ｍｇ／Ｌがより好ましい。改質液中のリン酸系イオンの濃度が上記下限値以上であると、白金族系触媒の触媒活性の回復が促進されやすい。上記上限値以下であると、被毒物質をさらに脱着しやすい。
【００５６】
改質液が白金族系触媒と接触するときの温度は、０〜５０℃が好ましく、３〜２５℃がより好ましい。改質液が白金族系触媒と接触するときの温度が上記数値範囲内であると、被毒物質をさらに脱着しやすい。
【００５７】
反応部２２における処理液の通水空間速度（ＳＶ）は、１０〜１０００Ｌ／ｈｒ／Ｌ−触媒が好ましく、１０〜１００Ｌ／ｈｒ／Ｌ−触媒がより好ましい。通水空間速度が上記下限値以上であると、改質剤と白金族系触媒との接触効率が高まり、より改質されやすい。通水空間速度が上記上限値以下であると、反応部２２における差圧を抑制でき、白金族系触媒や容体２０への負荷を軽減しやすい。
【００５８】
触媒改質工程において、反応部２２に供給される改質液の量は、通水倍量（ＢＶ）で１０〜１０００倍が好ましく、５００〜１０００倍がより好ましい。通水倍量が上記下限値以上であると、改質剤と白金族系触媒との接触効率が高まり、より改質されやすい。通水倍量が上記上限値以下であると、反応部２２における差圧を抑制でき、白金族系触媒や容体２０への負荷を軽減しやすい。
【００５９】
改質液の通水空間速度、通水倍量は、ポンプ５２の圧力、給液管９０の内径等により調整できる。
【００６０】
本実施形態の洗浄方法では、容体２０への改質液の供給を停止して触媒改質工程を終えた後、第一供給管３０を通して洗浄液を容体２０に供給する。
【００６１】
本実施形態の洗浄方法では、触媒改質工程を有することで、白金族系触媒を改質することが可能である。白金族系触媒を改質することで、白金族系触媒の触媒活性の低下を抑制できる。加えて、白金族系触媒の低下した触媒活性を回復できる。このため、触媒活性が低下した白金族系触媒を新しいものと交換するスパンを長くでき、洗浄に掛かるコストを低減できる。
本実施形態の洗浄方法では、白金族系触媒の触媒活性が高められているため、白金族系触媒の寿命を向上できる。そのため、白金族系触媒を適用できる洗浄対象４０が限定されず、本実施形態の洗浄方法を適用できる洗浄対象４０を拡大できる。本実施形態の洗浄方法を適用できる洗浄対象４０としては、原子力プラントの他、ボイラー化学洗浄設備や廃液処理設備等が挙げられる。
【００６２】
触媒改質工程は、洗浄工程と同時に行ってもよい。この場合は、容体２０への改質液の供給と、洗浄液の供給とが行われる。
酸化鉄スケールを除去した洗浄液は、貯留槽１０に供給せずに、回収管３４に設けた別の配管を通して廃棄してもよい。
【００６３】
以上、本発明の実施の形態について図面を参照して詳細に説明したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、クレームの範囲によってのみ限定される。
【符号の説明】
【００６４】
１，２  洗浄装置
１０  貯留槽
２０  容体
２２  反応部
３０  第一供給管
３２  第二供給管
３４  回収管
４０  洗浄対象
５０，５２  ポンプ
６０  水素濃度計
７０  触媒改質部
８０  改質液貯留槽
９０  給液管
９２  排液管
【図１】
2019099869.tif 000003
【図２】
2019099869.tif 000004